(57)【要約】【課題】  本発明は、印刷作業を行うにあたり、印刷版面の親水性非画線部への濡れ性が良好となる等、ＩＰＡを添加した際と同様な効果が得られ、泡立ちが少なくて供給量の調節を容易に行うことができ、インキの過剰乳化や給水ローラー汚れを防止することができる平版印刷用湿し水濃縮組成物を提供することを課題とする。  さらに、比較的画線部が湿し水により侵食されやすいＣＴＰ用印刷版においても、印刷中に画線部が脱落する等の印刷物品質上の問題が起こらない平版印刷用湿し水濃縮組成物を提供することを課題とする。【解決手段】  一般式（１）で示される化合物の少なくとも一種類を０．１〜１５質量％含有することを特徴とする平版印刷用湿し水濃縮組成物。2007283584.tif 000010（式（１）において、Ｒ１は水素、炭素数が１〜４のアルキル基を示し、式中のａ及びｃは１〜１５の整数であって２≦ａ＋ｃ≦３０であり、ｂは１≦ｂ≦１０の整数である。）【選択図】          なし【特許請求の範囲】
【請求項１】
下記一般式（１）で示される化合物の少なくとも一種類を０．１〜１５質量％含有することを特徴とする平版印刷用湿し水濃縮組成物。
【化１】
2007283584.tif 000007
（式（１）において、Ｒ１は水素、炭素数が１〜４のアルキル基を示し、式中のａ及びｃは１〜１５の整数であって２≦ａ＋ｃ≦３０であり、ｂは１≦ｂ≦１０の整数である。）
【請求項２】
下記一般式（２）で示される化合物の少なくとも一種類を０．１〜５質量％含有する請求項１に記載の平版印刷用湿し水濃縮組成物。
【化２】
2007283584.tif 000008
（式（２）において、Ｒ２は互いに独立して、水素原子、−ＣＨ３、−ＣＨ２ＣＨ２ＯＨ又は−ＣＨ２ＣＨ（ＯＨ）ＣＨ３を表す。）
【請求項３】
下記一般式（３）で示される、２，４，７，９−テトラメチル−５−デシン−４，７−ジオールの２つの水酸基に、エチレンオキサイド（ＥＯ）が１〜１０モル付加されたか、及びまたはプロピレンオキサイド（ＰＯ）が０〜５モル付加されたポリエーテル構造の化合物であって、ＨＬＢが４〜１５である化合物を０．１〜５質量％含有する請求項２に記載の平版印刷用湿し水組成物。
【化３】
2007283584.tif 000009
（式（３）において、ｖ＋ｘ＝１〜１０且つｗ＋ｙ＝０〜５である。）
【発明の詳細な説明】
【技術分野】
【０００１】
本発明は、平版印刷用湿し水濃縮組成物に関する。本発明の組成物は水等で希釈して平版オフセット印刷における湿し水として用いられる。
【背景技術】
【０００２】
平版印刷版を用いたオフセット印刷法は、水と油が混じり合わない性質を利用した印刷方式であり、印刷版面は、水を受容してインキを反発する部分と水を反発しインキを受容する部分からなり、前者が非画線で後者が画線部である。この方式では、インキに湿し水を与え過ぎるとインキの乳化が過剰になり、インキを供給するローラー上にインキが堆積して転移不良が発生する。一方、湿し水が少な過ぎると非画線部にインキが付着し汚れの原因となる。
【０００３】
このインキと湿し水とのバランスを保つため、従来から湿し水にはイソプロピルアルコール（以下、ＩＰＡと呼ぶ）が添加され、更に各種親水性物質として例えばアラビアゴム、カルボキシメチルセルロース（ＣＭＣ）、版表面酸化物を除去する整面剤としてリン酸、重クロム酸アンモニウム、硝酸、及びクエン酸等が添加されていた。また、各種添加物を溶解させるため有機溶剤などが添加されていた。ここでＩＰＡを添加する効果としては、印刷版面の親水性非画線部への濡れが良好になることと、湿し水の粘度を上げて給水装置から版面への湿し水の供給を滑らかにすること等が挙げられる。
【０００４】
しかし、ＩＰＡは危険物第４類アルコール類に該当し、使用に際しては火気に注意を払う必要がある。又、有機溶剤予防規則第２種有機溶剤に該当し、水溶液中の濃度は５質量％以下で管理するように規制されている。湿し水中には通常５〜２０質量％程度の濃度で添加して使用することから、局所排気装置等を講ずる必要があるなどの問題があった。
【０００５】
このため、近年ＩＰＡを全く用いないか、用いても湿し水中濃度が５質量％以下であるような湿し水ないしは湿し水組成物が提案されてきた。例えばＩＰＡの代替化合物として他の有機溶剤等を添加したものとして、特許文献１〜５を挙げることが出来る。
【０００６】
又、アルコール類のエチレンオキサイドまたはプロピレンオキサイド付加体等の界面活性剤を添加することも提案されている。例えば特許文献６〜１９においては、１価や２価のアルコールまたは３価以上の多価アルコールにエチレンオキサイドやプロピレンオキサイドを付加した界面活性剤を添加した湿し水ないし湿し水組成物が提案されている。
【０００７】
特許文献２０〜２４では、１価または２価のアルコールにエチレンオキサイド及びプロピレンオキサイドを付加したポリオキシエチレン−ポリオキシプロピレンブロックポリマーが提案されている。
しかし、これらの界面活性剤を使用すると、エチレンオキサイドの比率が高いことから親水性が高くなり、インキの中に湿し水が過剰に入ることで過乳化状態を引き起こしやすくなる。過乳化状態になると湿し水を運ぶためのローラーである給水ローラーが過乳化したインキより汚れてしまい、湿し水が均一に上がらなくなるという、いわゆる給水ローラー汚れが発生してしまう。
更にその浸透性により平版印刷用版材の画線部を侵食し、印刷中に画線部が脱落して印刷物品質を低下させる問題（版トレと呼ばれる）が発生しやすい。特に近年赤外線を放射する固体レーザーまたは半導体レーザーを用いて、コンピューター等のデジタルデータから版面に印刷すべき画像を直接記録して製版するいわゆるＣＴＰ（Ｃｏｍｐｕｔｅｒ  ｔｏ  Ｐｌａｔｅ）用印刷版が普及しているが、それらの版においてはその傾向が顕著である。
【０００８】
【特許文献１】特開昭５２−４３０１号公報
【特許文献２】特開昭５７−１７９２号公報
【特許文献３】特開昭５７−１９９６９号公報
【特許文献４】特開平３−９０３８９号公報
【特許文献５】特開平４−１０９１号公報
【特許文献６】特開昭５１−７２５０７号公報
【特許文献７】特開平２−２５５３８６号公報
【特許文献８】特開平３−６３１８８号公報
【特許文献９】特開平３−１５５９９１号公報
【特許文献１０】特開平５−２２１１８０号公報
【特許文献１１】特開平８−３３７０７３号公報
【特許文献１２】特開平１０−１８１２３４号公報
【特許文献１３】特開平１１−９９７６６号公報
【特許文献１４】特開１９９９−５３７６号公報
【特許文献１５】特開２０００−９４８５４号公報
【特許文献１６】特開２００１−１３８６５９号公報
【特許文献１７】特開２００１−１８０１４６号公報
【特許文献１８】特開平５−２２１１７９号公報
【特許文献１９】特開平８−１３２７５３号公報
【特許文献２０】特開平２−２６９０９４号公報
【特許文献２１】特開平２−４８９９６号公報
【特許文献２２】特開平６−２１９０７６号公報
【特許文献２３】特開平９−１２３６３５号公報
【特許文献２４】特開平１１−２６８４４２号公報
【発明の開示】
【発明が解決しようとする課題】
【０００９】
本発明の課題は、印刷作業を行うにあたり、印刷版面の親水性非画線部への濡れ性が良好となる等、ＩＰＡを添加した際と同様な効果が得られ、泡立ちが少なくて供給量の調節を容易に行うことができ、インキの過剰乳化や給水ローラー汚れを防止することができる平版印刷用湿し水濃縮組成物を提供することである。
さらに、比較的画線部が湿し水により侵食されやすいＣＴＰ用印刷版においても、印刷中に画線部が脱落する等の印刷物品質上の問題が起こらない平版印刷用湿し水濃縮組成物を提供することである。
【課題を解決するための手段】
【００１０】
本発明は上記課題を達成するため、従来の湿し水濃縮組成物の成分が持つ欠点がなく、環境上安全でかつ湿し水濃縮組成物の成分として適した化合物について研究を重ねた結果、下記一般式（１）で表される化合物を平版印刷版用湿し水濃縮組成物に含有させることで、上記の目的を達成できることを見出し、本発明を完成させるに至った。
従って本発明は、下記一般式（１）で示される少なくとも一種類の化合物を含有し、好ましくは一般式（２）で示される化合物をも含有し、さらに好ましくは一般式（３）で表される化合物を含有することを特徴とする平版印刷版用湿し水濃縮組成物に関するものである。
【００１１】
【化１】
2007283584.tif 000002
【００１２】
（式（１）において、Ｒ１は水素、炭素数が１〜４のアルキル基を示し、式中のａ及びｃは１〜１５の整数であって２≦ａ＋ｃ≦３０であり、ｂは１≦ｂ≦１０の整数である。）
【発明の効果】
【００１３】
本発明の平版印刷用湿し水濃縮組成物は、ＩＰＡ等の労働安全衛生上の問題を生じさせる事なく、液安定性に優れた湿し水組成物であり、印刷適性に優れ、ＣＴＰ版の画線部に対する侵食性のない湿し水濃縮組成物である。
【発明を実施するための最良の形態】
【００１４】
本発明で使用する一般式（１）で表される化合物において、Ｒ1は水素またはアルキル基を示し、アルキル基としては、メチル、エチル、ｎ−プロピル、イソプロピル、ｎ−ブチル、イソブチル、ｔ−ブチル基が挙げられる。式中、ｂは１〜１０の整数を表し、ａ及びｃはそれぞれ１〜１５の整数を表し、２≦ａ＋ｃ≦３０である。ａ及びｃとして、より好ましくはそれぞれ５〜１５の整数を表し、１０≦ａ＋ｃ≦３０である。また、ｂとして、より好ましくは１〜６の整数である。
【００１５】
本発明の平版印刷版用湿し水濃縮組成物において、上記一般式（１）で示される化合物は、その一種類を単独で用いてもよいし、二種類以上を混合して使用してもよい。これらの化合物の湿し水濃縮組成物における含有量は、湿し水濃縮組成物全質量に基づいて０．１〜１５質量％が適当であり、好ましくは１〜１０質量％である。
０．１質量％より少ないと動的表面張力が高くなり湿し水の印刷適性の範囲が狭くなる。一方、その含有量が１５質量％を超えるとインキ中に湿し水が入りやすくなり、過剰乳化等を起こす原因となりやすい。一般式（１）で示される化合物は市販品として、竹本油脂株式会社製のパイオニンシリーズ、旭電化株式会社製のプルロニック等が市販されている。
【００１６】
本発明における平版印刷用湿し水濃縮組成物は、更に下記一般式（２）で示される少なくとも１種類の化合物を０．１〜５質量％含有することが好ましい。
【００１７】
【化２】
2007283584.tif 000003
【００１８】
式（２）において、Ｒ２は互いに独立して、水素原子、−ＣＨ３、−ＣＨ２ＣＨ２ＯＨ、又は−ＣＨ２ＣＨ（ＯＨ）ＣＨ３を表す。一般式（２）で示される化合物の具体例としてはヒドロキシエチルセルロース（ＨＥＣ）、ヒドロキシプロピルセルロース（ＨＰＣ）、ヒドロキシプロピルメチルセルロース（ＨＰＭＣ）、ヒドロキシエチルメチルセルロース（ＨＥＭＣ）、メチルセルロース（ＳＭ）等のセルロース誘導体が挙げられる。
【００１９】
上記一般式（２）で示されるセルロース誘導体で好ましく使用される化合物はヒドロキシプロピルセルロース（ＨＰＣ）、ヒドロキシプロピルメチルセルロース（ＨＰＭＣ）等であり、これらの化合物の含有量は、湿し水濃縮組成物全質量の０．１〜５質量％が適当であり、好ましくは０．３〜２質量％である。
０．１質量％より少ないと湿し水の粘度が低くなり、インキローラー上での水上がりが悪くなる。一方、その含有量が５質量％を超えると湿し水の粘度が高くなり、インキローラー上での湿し水が供給過多になりインキが過剰に乳化して堆積することにより転移不良となりやすい。
【００２０】
本発明の湿し水濃縮組成物には、上記一般式（１）、及び一般式（２）の化合物に更に下記一般式（３）で示される化合物を加えることが好ましい。一般式（３）で示される化合物を加えることで動的表面張力の低下が可能であり、高速回転するローラー上で均一な水膜を得ることが出来る。これらの化合物の湿し水組成物における含有量は、湿し水濃縮組成物全質量に基づいて０．１〜５質量％が適当であり、好ましくは０．２〜２質量％である。０．１質量％より少ないと動的表面張力が高くなり均一な濡れ性が得られなくなり、その含有量が５質量％を超えるとインキ中に湿し水が入りやすくなり、過剰乳化等を起こす原因となりやすい。
また、ＨＬＢが４以下であると親油性が高くなり、湿し水濃縮組成物の液安定性が悪くなり、ＨＬＢが１５以上になると親水性が高くなり、過剰乳化を起こし易くなる。従って、ＨＬＢは４〜１５の範囲で、より好ましくは４〜１２の範囲である。
一般式（３）で示される化合物は市販品として、エアープロダクツアンドケミカルズ社製のサーフィノール等が市販されている。
【００２１】
【化３】
2007283584.tif 000004
【００２２】
式（３）において、ｖ＋ｘ＝１〜１０且つｗ＋ｙ＝０〜５である。
【００２３】
本発明ではサーフィノール４２０（ｖ＋ｘ＝１．３）、サーフィノール４４０（ｖ＋ｘ＝３．５）、サーフィノール４６５（ｖ＋ｘ＝１０）、サーフィノール２５０２（ｖ＋ｘ＝５且つｗ＋ｙ＝２）等が好適に使用できる。
【００２４】
本発明には各種添加物の可溶化性の向上、インキの乳化を調整する化合物として、エチレングリコールモノメチルエーテル、ジエチレングリコールモノメチルエーテル、エチレングリコールモノエチルエーテル、ジエチレングリコールモノエチルエーテル、エチレングリコールモノプロピルエーテル、ジエチレングリコールモノプロピルエーテル、エチレングリコールモノイソプロピルエーテル、ジエチレングリコールモノイソプロピルエーテル、エチレングリコールモノブチルエーテル、ジエチレングリコールモノブチルエーテル、エチレングリコールモノイソブチルエーテル、ジエチレングリコールモノイソブチルエーテル、エチレングリコールモノt-ブチルエーテル、ジエチレングリコールモノt-ブチルエーテル、プロピレングリコールモノメチルエーテル、ジプロピレングリコールモノメチルエーテル、プロピレングリコールモノエチルエーテル、ジプロピレングリコールモノエチルエーテル、プロピレングリコールモノプロピルエーテル、ジプロピレングリコールモノプロピルエーテル、プロピレングリコールモノブチルエーテル、ジプロピレングリコールモノブチルエーテル、プロピレングリコールモノイソブチルエーテル、ジプロピレングリコールモノイソブチルエーテル、プロピレングリコールモノt-ブチルエーテル、ジプロピレングリコールモノt-ブチルエーテル等の有機溶剤が用いられる。
これらの化合物の中でより好ましくはエチレングリコールモノt-ブチルエーテル、プロピレングリコールモノメチルエーテル、ジプロピレングリコールモノメチルエーテル、プロピレングリコールモノt-ブチルエーテル、ジプロピレングリコールモノt-ブチルエーテル等が用いられる。これらの化合物は単独でも２種類以上の化合物を併用してもよく、最適に使用するには１０〜７０質量％であり、より好ましくは２０〜５０質量％である。
【００２５】
又、本発明では印刷版に湿し水を供給するローラー上に均一な水膜を形成するために次のような界面活性剤を単独で用いても、２種類以上併用しても良い。
アニオン型界面活性剤の具体例としては、例えば脂肪酸塩類、ヒドロキシアルカンスルホン酸塩類、アルカンスルホン酸塩類、ジアルキルスルホ琥珀酸塩類、ポリオキシエチレンアルキルスルホフェニルエーテル塩類、Ｎ−メチル−Ｎ−オレイルタウリンナトリウム塩類、Ｎ−アルキルスルホ琥珀酸モノアミド二ナトリウム塩類、ポリオキシエチレンアルキルエーテル硫酸エステル塩類、脂肪酸モノグリセリド硫酸エステル塩類、アルキル燐酸エステル塩類、ポリオキシエチレンアルキルエーテル燐酸エステル塩類などが挙げられる。
カチオン型界面活性剤の具体例としては、アルキルアミン塩類、第４級アンモニウム塩類、ポリオキシエチレンアルキルアミン塩類、ポリエチレンポリアミン誘導体などが挙げられる。その他弗素系界面活性剤、シリコン系界面活性剤も使用することができる。但し、使用する場合には湿し水使用時の発泡性を考慮して、平版印刷用湿し水濃縮組成物全質量中１．０質量％以下とすることが適当である。
【００２６】
非イオン型界面活性剤の具体例としては、ポリオキシエチレンアルキルエーテル類、ポリオキシエチレンアルキルフェニルエーテル類、ポリオキシエチレンポリスチリルフェニルエーテル類、ポリオキシエチレンポリオキシプロピレンアルキルエーテル類、グリセリン脂肪酸部分エステル化物類、ソルビタン脂肪酸部分エステル化物類、ペンタエリスリトール脂肪酸部分エステル化物類、プロピレングリコールモノ脂肪酸エステル類、ショ糖脂肪酸部分エステル化物類、ポリオキシエチレンソルビタン脂肪酸部分エステル化物類、ポリオキシエチレンソルビトール脂肪酸部分エステル化物類、ポリエチレングリコール脂肪酸エステル類、ポリグリセリン脂肪酸部分エステル化物類、ポリオキシエチレン化ひまし油類、ポリオキシエチレングリセリン脂肪酸部分エステル化物類、脂肪酸ジエタノールアミド類、Ｎ、Ｎ−ビス−２−ヒドロキシアルキルアミン類、ポリオキシエチレンアルキルアミン類、トリエタノールアミン脂肪酸エステル類、トリアルキルアミンオキシド類などが挙げられる。
【００２７】
更に、本発明の平版印刷用湿し水濃縮組成物には印刷版面の非画線部であるアルミ基板表面に対するちり状の過剰乳化インキの付着防止や、紙からの溶出物などによる異物の付着を防止することを目的に水溶性の有機酸や無機酸を添加してもよい。有機酸として、例えばコハク酸、クエン酸、アスコルビン酸、リンゴ酸、酒石酸、乳酸、グリコール酸、グルコン酸、シュウ酸、マロン酸、レブリン酸、フイチン酸、有機ホスホン酸等が挙げられる。無機酸として、例えばリン酸、ピロリン酸及びポリリン酸に代表される縮合リン酸の他、硝酸、硫酸などが挙げられる。これら化合物の平版印刷用湿し水濃縮組成物中での含有量は０．１〜５質量％で、好ましくは０．１〜２質量％の範囲で用いられる。
【００２８】
更に、本発明の平版印刷用湿し水濃縮組成物には、湿し水として使用する水道水等の水や、インキや紙からの溶出物によるＰＨの変動を防止することを目的として水溶性の有機酸や無機酸の塩類を添加する。具体的には有機酸として、例えばコハク酸、クエン酸、アスコルビン酸、リンゴ酸、酒石酸、乳酸、グルコン酸、ヒドロキシ酢酸、シュウ酸、マロン酸、レブリン酸、フイチン酸、有機ホスホン酸等であり、無機酸として、例えばリン酸、硝酸、硫酸などが挙げられる。これら有機酸及びまたは無機酸のアルカリ金属塩、アルカリ土類金属塩、あるいはアンモニウム塩、有機アミン酸などを使用する。これら化合物の平版印刷用湿し水濃縮組成物中での含有量は０．１〜５質量％で、好ましくは０．５〜３質量％の範囲で用いられる。
【００２９】
本発明の平版印刷用湿し水濃縮組成物には、キレート化合物を用いても良い。キレート化合物は水道水や井戸水に含まれる炭酸カルシウムが印刷機上のローラーに堆積することを防止し、印刷適性や印刷物品質を安定させる働きを有する。具体的には、エチレンジアミンテトラ酢酸、ジエチレントリアミンペンタ酢酸、トリエチレンテトラミンヘキサ酢酸、ヒドロキシエチルエチレンジアミントリ酢酸、ニトリロトリ酢酸、１−ヒドロキシエタン−１，１−ジホスホン酸、アミノトリ（メチレンホスホン酸）などやこれらのナトリウム塩類、カリウム塩類、および有機アミン塩類などを挙げることが出来る。これらのキレート剤は濃縮湿し水中に安定に存在し、印刷性を阻害しないものが選ばれる。これら化合物の平版印刷用湿し水濃縮組成物中での含有量は５質量％以下が適当である。
【００３０】
この他、本発明では湿し水循環装置において湿し水が泡立つことを防止するため、シリコーン系消泡剤及びまたはフッ素系消泡剤が好ましく使用される。その中で、乳化分散型及び可溶化型などいずれも使用できる。これら化合物の平版印刷用湿し水濃縮組成物中での含有量は０．１〜０．５質量％程度である。
【００３１】
又、本発明では印刷機の湿し水循環装置において長期間使用する際の水の腐敗を防止するための防腐剤として、イミダゾール誘導体、４−イソチアゾリン−３−オン誘導体、ベンズトリアゾール誘導体、アミジンまたはグアジニンの誘導体、４級アンモニウム塩類、ピリジンまたはキノリンの誘導体、ダイアジンまたはトリアゾールの誘導体、オキサゾールまたはオキサジンの誘導体などを使用してもよい。好ましい添加量は、細菌、カビ、酵母などに対して安定に効力を発揮する量であって、細菌、カビ、酵母の種類によっても異なるが、これら化合物の平版印刷用湿し水濃縮組成物中での含有量は４質量％以下の範囲が好ましく、また種々の細菌、カビ、酵母に対して効力のあるような２種以上の防腐剤を併用することが好ましい。
【００３２】
又、本発明の平版印刷版用湿し水濃縮組成物には着色剤として水溶性の食品用色素などを用いてもよく、例えば黄色色素としてはＣＩＮｏ．１９１４０、１５９８５、赤色色素としてはＣＩＮｏ．１６１８５、４５４３０、１６２５５、４５３８０、４５１００、紫色色素としてはＣＩＮｏ．４２６４０、青色色素としてはＣＩＮｏ．４２０９０、７３０１５、緑色色素としてはＣＩＮｏ．４２０９５などが挙げられる。
【００３３】
本発明の平版印刷版用湿し水濃縮組成物は水道水や井戸水などの水で１０〜１００倍に希釈し、平版印刷機上で使用される。
【実施例】
【００３４】
本発明を実施例により更に詳細に説明するが、本発明はこれら実施例に限定されるものではない。尚％及び部は、特に指定のない限り質量基準である。
【００３５】
本発明による実施例では一般式（１）で示される化合物として、パイオニンＰ−２０１５−Ｒ（竹本油脂（株）製品名、Ｒ１＝Ｈ、ａ＋ｃ＝１０、ｂ＝６）、パイオニンＰ−１３１０−Ｒ（竹本油脂（株）製品名、Ｒ１＝Ｈ、ａ＋ｃ＝２０、ｂ＝３）を用いた。
比較例として、プルロニック２５Ｒ−２（旭電化（株）製品名、Ｒ1＝Ｈ、ａ＋ｃ＝４３、ｂ＝１４）を使用した。
【００３６】
一般式（２）で示される化合物として、メトローズ６０ＳＨ−５０（信越化学（株）製品名、ヒドロキシプロピルメチルセルロース（ＨＰＭＣ）、Ｒ２＝水素原子、又は−ＣＨ３、又は−ＣＨ２ＣＨ（ＯＨ）ＣＨ３）、ＨＰＣ−Ｌ（日本曹達（株）製品名、ヒドロキシプロピルセルロース（ＨＰＣ）、Ｒ２＝水素原子、又は−ＣＨ２ＣＨ（ＯＨ）ＣＨ３）を用いた。比較例として、アラビアゴムを使用した。
【００３７】
一般式（３）で示される化合物として、サーフィノール４２０（エアープロダクツアンドケミカルズ（株）製品名、ｖ＋ｘ＝１．３）、サーフィノール４４０（エアープロダクツアンドケミカルズ（株）製品名、ｖ＋ｘ＝３．５）サーフィノール４６５（エアープロダクツアンドケミカルズ（株）製品名、ｖ＋ｘ＝１０）、サーフィノール２５０２（エアープロダクツアンドケミカルズ（株）製品名ｖ＋ｘ＝５且つｗ＋ｙ＝２）を使用した。
実施例及び比較例の配合を表１に示す。単位はグラムであり、表１の組成以外の残部として水を加えてそれぞれの全量を１０００ｍｌとした。
【００３８】
本発明の湿し水実施例１〜７及び比較例１〜３について、水で５０倍に希釈（濃度２.０％）し、以下に示す（ａ）、及び（ｂ）のテストを実施した。それらの結果を表２に示す。
【００３９】
（ａ）湿し水濃縮液の保存安定性テスト
湿し水濃縮液を１０ｍｌのガラスサンプル瓶に入れ、４０℃の恒温装置に約１ヶ月放置し、液の保存安定性を確認する。評価基準は次の通りである。
○・・・変化なし。
△・・・白濁し、層分離する。
×・・・成分が分離し、沈殿物が発生する。
【００４０】
（ｂ）プレート侵食性テスト
５０％網点とベタの画線のあるＣＴＰ版（ＴＰ−Ｗ；コダックポリクロームグラフィックス（株）製）を作成し、各湿し水に５時間浸漬させ、画線部に侵食がみられるか確認を行った。評価基準は次の通りである。
○・・・画線部侵食性なし。
△・・・液界面に侵食性が見られる。
×・・・５０％網点が侵食され、画線部が取れる。
【００４１】
更に本発明の湿し水実施例１〜７および比較例１〜３について、印刷テストを実施した。印刷条件は以下の通りである。
印刷機：ローランド−７０４（ディック・マンローランド社製）、
印刷速度：１０，０００枚／１時間、
印刷用紙：十条ダイヤコート５７．５ｋｇ／Ａ全、
湿し水機構：ローランドマチック、
温湿度：２３〜２４℃，５０〜６０％ＲＨ、
インキ：フュージョンＧ紅−Ｎ（大日本インキ化学工業（株）製）、
印刷版：ＴＰ−Ｗ（ＣＴＰ版；Ｃｏｍｐｕｔｅｒ ｔｏ Ｐｌａｔｅ；コダックポリクロームグラフィックス（株）製）。
以上の条件で下記のテスト（ｃ）〜（ｆ）を実施した。それらの結果を同じく表２に示す。
【００４２】
（ｃ）水幅適性
印刷機の給水量の目盛り（目盛り１〜９９、給水ローラーの回転数の目盛りでもある）で網点の絡みが発生する水目盛りを下限値、紙面のベタ部分の濃度が０．１落ちた水目盛りを上限値とする下限値と上限値の幅を調べた。評価基準は次の通りである。
○・・・３５目盛り以上の水幅。
△・・・３０〜２５目盛り以内の水幅。
×・・・２５目盛り以下の水幅。
【００４３】
（ｄ）給水ローラー安定性
印刷１０，０００枚終了後の給水ローラーの汚れ具合を観察した。評価基準は次の通りである。
○・・・汚れなし。
△・・・若干汚れがある。
×・・・汚れる。
【００４４】
（ｅ）不感脂化適性
印刷を一旦停止してから約１時間放置後に再印刷したとき、印刷物の非画線部の汚れ解消具合を調べた。評価基準は次の通りである。
○・・・インキの汚れが非画線部からすぐ消える。
△・・・インキの汚れが若干残る。
×・・・インキの汚れが残る。
【００４５】
（ｆ）乳化適性
印刷テストにおいて、インキ練ローラー及び紙面上のインキの乳化状態を調べた。評価基準は次の通りである。
○・・・適性乳化状態。
△・・・やや過乳化状態。
×・・・過剰乳化状態。
【００４６】
【表１】
2007283584.tif 000005
【００４７】
【表２】
2007283584.tif 000006
【００４８】
比較例１ではプレート侵食性テストにおいて液界面に侵食が見られ、更にインキ練ローラー上でのインキが過剰乳化状態であった。
比較例２では湿し水濃縮組成物の成分が分離し、沈殿物が発生した。更にプレート侵食性テストにおいて液界面に侵食が見られ、インキ練ローラー上でやや乳化状態が悪かった。
比較例３ではプレート侵食性テストにおいて液界面に侵食が見られ、水幅適性がなく、給水ローラーに汚れが発生した。更に不感脂化適性において、約１時間放置後に再印刷したとき、非画線部の汚れの解消がやや悪く、インキ練ローラー上でのインキがやや過剰乳化状態であった。
【産業上の利用可能性】
【００４９】
本発明の平版印刷用湿し水濃縮組成物は、ＩＰＡ等の労働安全衛生上の問題を生じさせる事なく、液安定性に優れた湿し水組成物であり、平版オフセット印刷に用いる湿し水として印刷適性に優れ、普及が拡大しているＣＴＰ版の画線部に対する侵食性が少ない。